(57)【特許請求の範囲】
【請求項１】
器具本体と、器具本体と分離可能に構成される給電部と反射板とからなり、該器具本体は、上部に天板を、下部に枠部と取付具を有し、照明器具を取り付けるための取付面に設けられた埋込孔に前記枠部と取付具とで取付面をはさんで取り付けられ、前記給電部が前記天板に取り付けられる埋込型照明器具であって、
前記給電部が、前記反射板が取り外されている場合に前記枠部内に挿入可能で、かつ、器具本体に着脱自在に形成されていることを特徴とする埋込型照明器具。
【請求項２】
前記給電部が前記器具本体に取り付けられた状態で前記取付面の埋込孔に埋込み取り付けられることを特徴とする請求項1に記載の埋込型照明器具。
【請求項３】
前記天板の略中央部に開放口を設け、該開放口に一側縁から給電部を挿入させて該天板の略中央部に配置させるようにし、かつ、該天板の他側縁を前記器具本体外方へ向けて突出するようにしたことを特徴とする請求項１または請求項２に記載の埋込型照明器具。
【請求項４】
前記天板の前記他側縁に上方に向かう突部を設けた請求項３に記載の埋込型照明器具。
【請求項５】
前記天板の前記開放口部に前記給電部に設けられた略縦方向の壁面に当接する壁部を設けたことを特徴とする請求項３に記載の埋込型照明器具。
【請求項６】
前記給電部と前記器具本体との取り付け部が該器具本体中心よりも該給電部の装着方向の先端側に有することを特徴とする請求項１または請求項２に記載の埋込型照明器具。
【請求項７】
前記給電部を取り外す方向に前記器具本体と前記給電部が略密着する切り起こし部を設けたことを特徴とする請求項６に記載の埋込型照明器具。
【発明の詳細な説明】
【０００１】
【発明の属する技術分野】
本発明は、埋込型照明器具に関し、より詳細には、取付面への設置やメンテナンスを容易にした埋込型照明器具に関するものである。
【０００２】
【従来の技術】
ダウンライトなど埋込型照明器具は、一般的に、給電部品の寿命により器具寿命を８年から１０年と想定している。このような照明器具の給電部品の故障による器具の交換の際には、給電部品が器具本体に固定されており、器具そのものを交換する必要があった。また、非常灯では蓄電池を交換するために給電部を本体側面の取付孔から着脱自在に取り付け可能とする構造を有している。
【０００３】
通常、器具本体などの構造材は給電部の寿命より長い。しかし、給電部が本体に一体に固定されているため、これらの故障の際には、まだ寿命が残っている部分があるにもかかわらず、器具全体を交換しなければならず、無駄であった。
【０００４】
そこで、従来より、照明器具を器具本体と給電部とからなる分離構造として、取り換えたい部分のみを取り換えるようにした照明器具等が各種提案されている。例えば、照明器具を器具本体と給電部等から構成した分離構造として、器具本体の側面に形成された係止孔と給電部側の係止用の爪によって取り付けるようにしたものなどが提案されている（例えば、実開昭５９−６５４１０号公報参照）。
【０００５】
【発明が解決しようとする課題】
しかし、器具本体の側面に形成された係止孔と給電部側の係止用の爪によって取り付けるものでは、爪の強度を十分に確保する必要があったり、他の例のものでは交換取付の作業が面倒である等の問題があった。
【０００６】
また、非常灯では、蓄電池の交換を前提としているため、器具施工時の施工性が好ましくなかった。
【０００７】
本発明は、上記の事情に鑑みてなされたもので、施工時に非常灯のような蓄電池や給電部の組み立て作業を必要とせず、給電部の故障の際には、給電部の交換のみを行うことで、器具本体の構造材などの部材を長く利用できるとともに、給電部の交換作業を容易にする構造を提供することを目的とする。
【０００８】
【課題を解決するための手段】
上記の目的を達成するために、本発明の埋込型照明器具にあっては、器具本体と、器具本体と分離可能に構成される給電部と反射板とからなり、該器具本体は、上部に天板を、下部に枠部と取付具を有し、照明器具を取り付けるための取付面に設けられた埋込孔に前記枠部と取付具とで取付面をはさんで取り付けられ、前記給電部が前記天板に取り付けられる埋込型照明器具であって、前記給電部が、前記反射板が取り外されている場合に前記枠部内に挿入可能で、かつ、器具本体に着脱自在に形成されていることを特徴とする。
【０００９】
これにより、分離可能部分をユニット毎に交換するようにして、施工時に組み立て作業を必要とせず、その部分の交換のみを行うことで、器具本体の構造材などの部材を長く利用できるとともに、交換作業が容易にできる。
【００１０】
本願請求項２の埋込型照明器具は、請求項１の埋込型照明器具において、前記給電部が前記器具本体に取り付けられた状態で前記取付面の埋込孔に埋込み取り付けられることを特徴とする。
【００１１】
これにより、給電部に器具が取り付いた状態で簡単に交換ができる。各部を寿命が終わるまで別々に使用することで、照明器具のライフサイクルでの廃材を減らすことができる。例えば、器具本体は２０年使用するとすると、少なくともその分は廃材が減らせる。また、給電部は容易に取り外し取り付けができるので、補修、アップグレードが容易にできる。器具本体、給電部を集合梱包することにより、梱包廃材を抑制するという効果が得られる。さらに、給電部を他の物品と共通部品とすることができることで、多様なものに対応し、照明器具の生産性の向上、在庫の効率化の向上等が図れる。また、施工時に器具本体と給電部との組立がされてなくてもよく、施工が容易になる。
【００１２】
本願請求項３の埋込型照明器具は、請求項１又は請求項２の埋込型照明器具において、前記天板の略中央部に開放口を設け、該開放口に一側縁から給電部を挿入させて該天板の略中央部に配置させるようにし、かつ、該天板の他側縁を前記器具本体外方へ向けて突出するようにしたことを特徴とする。
【００１３】
これにより、光源を器具本体中心部に設けることができ、給電部品(ソケット、安定器、端子台)を取付台に本体枠内を挿入可能な配置で固定したので、給電部を容易に取り換えることができる。
【００１４】
本願請求項４の埋込型照明器具は、請求項３の発明において、前記天板の前記他側縁に上方に向かう突部を設けた。
【００１５】
これにより、器具本体の強度を高めることができことから器具本体幅を狭くでき、器具本体と給電部が取り付けられた状態で施工が可能となる。
【００１６】
本願請求項５の埋込型照明器具は、請求項３の発明において、前記天板の前記開放口部に前記給電部に設けられた略縦方向の壁面に当接する壁部を設けたことを特徴とする。
【００１７】
これにより、給電部の取付け時に取付台の左右への傾きを防止でき、同時に誤装着も防止できる。
【００１８】
本願請求項６の埋込型照明器具は、請求項１又は請求項２の埋込型照明器具において、前記給電部と前記器具本体との取り付け部が該器具本体中心よりも該給電部の装着方向の先端側に有することを特徴とする。
【００１９】
これにより、器具本体と給電部の取り付け部において、給電部の荷重が最もかかる器具本体端部からの距離を長くすることで、安定度の高い位置で固定でき、取付が確実になる。
【００２０】
本願請求項７の埋込型照明器具は、請求項６の発明において、前記給電部を取り外す方向に前記器具本体と前記給電部が略密着する切り起こし部を設けたことを特徴とする。
【００２１】
これにより、給電部の取り付けが不完全時において、給電部の落下を防止することができる。
【００２２】
【発明の実施の形態】
以下に本発明の実施の形態を図面に基づいて説明する。
［第１の実施の形態］図１ないし図６は、本発明の埋込型照明器具の第１の実施の形態を説明する図で、図１は埋込型照明器具の側面図、図２はその平面図、図３はその分解したユニットの側面図、図４は埋込型照明器具を構成する器具本体を示す図、図５は埋込型照明器具を取り付ける作業工程を説明する図、図６は埋込型照明器具を取り付ける他の例を説明する図である。
【００２３】
本実施の形態の埋込型照明器具１（以下、単に照明器具という）は、器具本体２と給電部３と反射板４とからそれぞれに分離可能に構成し、天井材等の天井の取付面５の埋込孔６に取り付けるようにしている。
【００２４】
給電部３は、電源電線の接続された端子台７と、安定器８や光源を装着するソケット９等の電気部品とが取り付けられた取付台１０とを有し、器具本体２とは分離可能に構成され、反射板４とは分離している。そして、小さい寸法の端子台７を安定器８と並べて取り付けると共に、安定器８とソケット９とを直線状に配置し、幅を小さくするようにしている。
【００２５】
器具本体２は、門型になるように前後（図１の紙面に対して）のヨーク１１が上下に延び、上部に給電部３を取り付ける天板１２を有し、下部に枠部１２と取付金具１４を有している。ヨーク１１は、反射板４を直径方向の外側で支持するように配置され、下端部に枠部１２が固着され、取付面を枠部１２と共に挟持するように取付金具１４が枠部１３より上方に取り付けられている。枠部１３の中心部は開放されて開口していて、本実施の形態の給電部３や照明灯Ｌなどを挿入できるようにしている。
【００２６】
器具本体２の天板１２は、鋼板から形成され、ヨーク１１に載置されたように固着される。天板１２の一方端は照明器具１の中心部より一方の外側まで延びて中心近傍のやや外側に位置し、この一方端の端縁から切り込まれて概略四辺形状に開放口１５が形成されている。この開放口１５は照明器具１の中心部に位置するようにされている。さらに、天板１２の他端は多角形状に形成され、照明器具１の中央部から他方側（図１の右方向でヨーク１１の対の方向に直角の方向）に水平に突出するように配設されている。そして、この他端の縁部には突部１６が設けられている。この突部１６は、本実施の形態では、端縁を中央部近傍にまでわたり、上方に折り曲げて形成している。このようにすることで、器具本体２の強度を向上し小型化を図ることができると共に、給電部３取り付けの際の位置合わせが容易で、組立を容易にできる。
【００２７】
また、天板１２の開放口１５の幅Ｅは、給電部３のソケット９が通過して照明器具１の中心部に挿入されるソケットの外径Ｄとほぼ等しいかそれよりやや大きい寸法にされている。また、開放口１５の、器具本体２中心より奥部の端部に切り欠き１７を天板１２の突出方向に平行に延ばして、長穴状に形成した取り付け部の受け部を形成している。このように受け部を形成することで、天板２への給電部３の取り付けが容易で確実にできるようにしている。それと同時に、給電部３を器具本体２に取り付けた際、締結部と器具本体２の中心との距離Ｌ１ができるだけ大きくなるようにしている。このようにすることにより、器具本体２の中心と給電部３の重心との距離Ｌ２にできるだけ近づけるようにしている。
【００２８】
さらに、開放口１５の幅方向の側端縁を折り曲げることにより壁部１８を形成している。この壁部１８は給電部３に設けられた略縦方向の壁面に当接し、給電部３の器具本体２への着脱が容易にできるようにしている。また、前記切り欠き１７を形成する根元部を、天板１２の突出方向と反対方向の器具本体２の中心側に突出させると共に、下方に切り起こして突出させて切り起こし部１９を設けている。
【００２９】
開放口１５の奥部の切り起こし部１９は、給電部３に当接し、給電部３の浮き上がりを防いでる。給電部３の重心が器具本体２の中心とＬ２の距離だけ離れていて中心にないため、締結具２１が緩んだ状態では、給電部３は自重により器具本体２の外側へ分離する方向へ動く。そのため、締結具２１を緩めたとき、給電部３の締結具２１に当接して給電部３が不用意に動かないように係止し、給電部３が器具本体２から不用意に外れることがないようにしている。
【００３０】
給電部３の取付台１０は、鋼板から変形した部分を有して概略四辺形に形成し、先端部側では３辺の略全長を折り返して壁２０を形成し、剛にすると共に強度を大きくするようにしている。取付台１０には、ソケット９が取り付られた側（先端部側）の先方に、取り付け部を構成するボルト等の締結具２１を挿通する締結孔２２が設けられている。天板１２に取付台１０を締結具２１で強固に固着して連結することにより器具本体２に給電部３を取り付けるようにしている。
【００３１】
給電部３への切り起こし部１９の当接する個所としては、締結具２１とすることが、給電部３に特別な工作をしなくてもよい点では好ましい。なお、特別な工作を施して安全性を高めるようにしてもよい。
【００３２】
次に、上記のように構成した本実施の形態の照明器具１の器具本体２と給電部３とを組立てて取付面へ取り付ける方法について説明する。
【００３３】
本体２の天板１２の上部を給電部３の取付台１０をすべらせるようにして、一端側から突出した他端側に移動させて、先端の壁２０を天板１２の突部１６に当接して位置合わせする。このとき、切り欠き１７と取付台１０の締結孔２２とを位置合わせする。続いて、ボルトを挿通してナットを締結することにより、締結具２１を締めて天板１２に取付台１０を固着し、器具本体２に給電部３を取り付けて組み立てる。
【００３４】
そして、図５（ａ）に示すように、給電部３の一端側から取付面５の埋込孔６を通し、回転させながら器具本体２の上部を通す。次いで、同図（ｂ）に示すように、取付面５の下面５ａに枠部１３の上面を当接し、取付面５を枠部１３と取付金具１４で挟持することにより、取付面５に器具本体２と給電部品を取り付ける。その後、図示していないが、反射板４を枠部１３の枠開口から挿入して取り付け、照明灯Ｌをソケット９に取り付けて照明器具を組み立てる。
【００３５】
また、上記の組立方法においては、予め、器具本体２に給電部３を取り付けて組み立てて、取付面５に取り付ける例で説明した。しかし、先に器具本体２を取付面５に取り付けておいてから、図６に示すように、給電部３の安定器８の取り付け側から枠部１３の中央部の枠開口を貫通して挿入し、上記のように器具本体２に給電部３を取り付けて組み立てるようにしてもよい。
【００３６】
このように、本発明によれば、給電部と器具本体とを組み立てた状態で器具本体を取り付け面に取り付けることができると共に、器具本体を取付面に取り付けた状態で給電部を取り付けることができるので、給電部のみを交換することも容易にできる。
【００３７】
逆に、給電部３の交換等で取り出す場合は、締結具２１を緩めて給電部３のソケット９側を浮かせて、器具本体２から離す方向へ移動させて分離し、図６に示すのと逆に、ソケット９側から器具本体の枠の枠開口を通し、取付面の外方へ取り出すことで行う。
【００３８】
なお、第１の実施の形態では、天板１２の突部１６は、略連続して形成する例で説明したが、ダボやブリッジ等と称するような名称を問わず、断続状等の種々の形状の立ち上がりで形成してもよいことは勿論である。このように形成すると加工が容易であるので好ましい。
［第２の実施の形態］図７は、本発明の第２の実施の形態の照明器具の要部を示している。
【００３９】
この第２の実施の形態は、上記第１の実施の形態の照明器具とは器具本体２の天板２３の開放口２４の形状が相違し、その他は同様なので、共通する部分には同一符号を付すると共に、詳細な図面、説明は省略する。
【００４０】
天板２３の開放口２４は、図７に示すように、導入部の開口端２５及び奥部の端縁２６に丸みを持たせて形成している。このように形成することにより、給電部３の組立のための先端部の導入が容易になると共に、位置合わせも容易になるという効果を奏する。
［第３の実施の形態］図８は、本発明の第３の実施の形態の照明器具を示す側面図である。
【００４１】
この第３の実施の形態の照明器具は、上記第１の実施の形態の照明器具とは取り付け部の構成が相違し、その他は同様なので、上記第１の実施の形態の照明器具と共通する部分には同一符号を付すると共に、詳細な図面、説明は省略する。
【００４２】
取り付け部の締結具をストラックスビス３１とし、これを取付台１０に取り付け、ナット３２で天板１２下方から締め付けて固着するようにしている。このように下方から取り付けできるようにすると、組立、分解が一層容易になる。
［第４の実施の形態］図９は、本発明の第４の実施の形態の照明器具を示す側面図である。
【００４３】
この第４の実施の形態の照明器具は、上記第１の実施の形態の照明器具とは取り付け部の構成が相違し、その他は同様なので、上記第１の実施の形態の照明器具と共通する部分には同一符号を付すると共に、詳細な図面、説明は省略する。
【００４４】
締結部の取り付け部をバネ３３等の弾性部材で形成し、これを取付台１０に取り付けると共に、天板１２にバネ３３が嵌合するか又は係合する切り抜きで取り付け部を構成している。嵌合等により弾性力で固着するようにして、ねじ止めによらずに固着できるようにすると、組立、分解が一層容易になる。
【００４５】
【発明の効果】
本発明の照明器具にあっては、器具本体、給電部、反射板等を分離可能に構成しているので、外から見えやすい枠部、反射板等を容易に取り換えることができ、外観を容易に美化できる。また、給電部に器具が取り付いた状態で簡単に交換ができる。各部を寿命が終わるまで別々に使用することで、照明器具のライフサイクルでの廃材を減らすことができる。例えば、器具本体は２０年使用するとすると、少なくともその分は廃材が減らせる。また、給電部は容易に取り外し取り付けができるので、補修、アップグレードが容易にできる。器具本体、給電部を集合梱包することにより、梱包廃材を抑制するという効果が得られる。さらに、給電部を他の物品と共通部品とすることができることで、多様なものに対応し、照明器具の生産性の向上、在庫の効率化の向上等が図れる。また、施工時に器具本体と給電部との組立がされてなくてもよく、施工が容易になる。
【００４６】
また、請求項３に記載の照明器具にあっては、光源を器具本体中心部に設けることができ、給電部を容易に取り換えることができる。
【００４７】
また、請求項４に記載の照明器具にあっては、器具本体の強度を高めることができ、それにより器具本体幅を狭くでき、器具本体と給電部が締結された状態で施工が可能となる。
【００４８】
また、請求項５に記載の照明器具にあっては、器具本体と給電部の締結部において、給電部の荷重が最もかかる器具本体端部からの距離を長くすることで、安定度の高い位置で固定でき、取付が確実になる。
【００４９】
また、請求項６に記載の照明器具にあっては、給電部の取付け時に取付台の左右への傾きを防止でき、同時に誤装着も防止できる。
【００５０】
また、請求項７に記載の照明器具にあっては、給電部の取り付けが不完全時において、給電部の落下を防止することができる。
【図面の簡単な説明】
【図１】本発明の第１の実施の形態の埋込型照明器具の側面図である。
【図２】その平面図である。
【図３】その分解したユニットの側面図である。
【図４】その器具本体を示す図で同図（ａ）は平面図、同図（ｂ）は側面図である。
【図５】器具本体と給電部を組み立てた状態で取付面に取り付ける作業工程を説明する図で、同図（ａ）は取付面の開口を挿入する状態を示す側面図、同図（ｂ）は取付面に取り付けた状態を示す側面図である。
【図６】器具本体を取付面に取り付けた状態で給電部を分離する一作業工程を説明する側面図である。
【図７】本発明の第２の実施形態の埋込型照明器具の要部の平面図である。
【図８】本発明の第３の実施形態の埋込型照明器具の側面図である。
【図９】本発明の第４の実施形態の埋込型照明器具の側面図である。
【符号の説明】
１    埋込型照明器具
２    器具本体
３    給電部
４    反射板
５    取付面
６    埋込穴
７    端子台
８    安定器
９    ソケット
１０  取付台
１２  天板
１３  枠部
１４  取付金具（取付具）
１５  開放口
１６  突部
１７  切り欠き
１８  壁部
１９  切り起こし部
２０  壁
２１  締結具
【図１】
0003849556.tif 000002
【図２】
0003849556.tif 000003
【図３】
0003849556.tif 000004
【図４】
0003849556.tif 000005
【図５】
0003849556.tif 000006
【図６】
0003849556.tif 000007
【図７】
0003849556.tif 000008
【図８】
0003849556.tif 000009
【図９】
0003849556.tif 000010